(57)【要約】【課題】照明器具の回転による不具合を抑制することができる取付装置および照明器具を提供することを課題とする。【解決手段】  実施形態に係る照明器具の取付装置は、照明器具を係合せしめて保持する係合爪と、この係合爪による係合状態を解除する解除レバーと、照明器具に給電するための接続コードと、を有し、解除レバーが取付装置の本体から突出した突出高さが、接続コードの最大幅と同じもしくはそれより低い高さにされている。【選択図】      図１
2013037842.tif 000002
【特許請求の範囲】
【請求項１】
照明器具を係合せしめて保持する係合爪と、
この係合爪による係合状態を解除する解除レバーと、
上記照明器具に給電するための接続コードと、を有し、
上記解除レバーが本体から突出した突出高さが、上記接続コードの最大幅と同じもしくはそれより低い、
上記照明器具の取付装置。
【請求項２】
上記解除レバーは、その突出方向に向けて収束した傾斜面を有する請求項１の取付装置。
【請求項３】
照明器具を保持する係合爪と、
突出方向に向けて収束した傾斜面とこの傾斜面に連続してなだらかに湾曲した面取り部を有し、上記係合爪による係合状態を解除するための解除レバーと、
を具備している照明器具の取付装置。
【請求項４】
上記傾斜面には、指を引っ掛けるくびれが設けられている請求項２または請求項３の取付装置。
【請求項５】
上記解除レバーは、指で操作される比較的幅広の操作部と、この操作部より幅の狭い上記本体に埋設されたアーム部と、を有し、
上記操作部と上記アーム部との間の段差は、上記接続コードの最小幅と同じもしくはそれより小さい、
請求項１の取付装置。
【請求項６】
請求項１乃至請求項５のいずれか１項に記載された取付装置と、
前記取付装置に取り付けられた照明器具本体と、
光源を点灯させる点灯装置と、
を具備したことを特徴とする照明器具。
【発明の詳細な説明】
【技術分野】
【０００１】
本発明の実施形態は、例えば、照明器具を天井に直に取り付けるための取付装置に関する。
【背景技術】
【０００２】
一般に、照明器具を天井に直付けするためのアダプタ（取付装置）は、天井に固設された引掛けシーリングに対してアダプタを機械的および電気的に接続するための２本の鉤状の接続金具と、照明器具をアダプタに対して脱着可能に取り付けるための２つの係合爪と、これら２つの係合爪による照明器具に対する係合状態を解除するための２本の解除レバーと、を有する。この他に、アダプタからは、照明器具側に給電するための接続コードが導出されている。
【０００３】
このアダプタを介して照明器具を天井に取り付ける場合、まず、２本の接続金具を引掛けシーリングの穴に引っ掛けてアダプタの本体を回転させて天井に取り付ける。そして、このアダプタの２つの係合爪に照明器具のシャーシーを引っ掛けて照明器具をアダプタに取り付ける。さらに、アダプタから導出された接続コードのコネクタを照明器具側のコネクタに差し込む。
【先行技術文献】
【特許文献】
【０００４】
【特許文献１】特許第４１４６１２２号公報
【発明の概要】
【発明が解決しようとする課題】
【０００５】
アダプタは、一般に、比較的薄い円筒形の本体を有し、照明器具を取り付けるための２つの係合爪は、この本体の周面に対して径方向に突没可能に設けられている。一方、照明器具のシャーシー（以下、器具本体と称する。）には、アダプタの本体を受け入れる円形の開口が形成されており、この開口の縁にアダプタの２つの係合爪を引っ掛けることで照明器具が保持される。
【０００６】
つまり、アダプタに取り付けられた照明器具は、アダプタの周方向に固定されておらず、回転可能な状態となっている。一方で、照明器具の背面側には、天囲等の器具取付面と器具本体とを密着させる弾性部材が設けられており、この弾性部材によって、天井面に対して固定状態が保持されている。
【０００７】
しかし、照明器具と天井との間の隙間を埋める弾性部材は、長時間の使用により劣化する可能性がある。このように弾性部材が経時的に劣化すると、セードを回動して着脱するとき、器具の取付面への固定状態が保持されず、セードとともに照明器具が回転するおそれがある。
【０００８】
そして、照明器具がアダプタに対して回転すると、アダプタと照明器具を接続している接続コードがねじれてしまう。また、このとき、照明器具の回転に伴って接続コードも回転し、アダプタの解除レバーに接続コードが引っ掛かり、解除レバーが不所望に操作されて、係合爪による照明器具の係合状態が解除されるおそれがある。
【０００９】
よって、照明器具の回転による不具合を抑制することができる取付装置および照明器具の開発が望まれている。
【課題を解決するための手段】
【００１０】
実施形態に係る照明器具の取付装置は、照明器具を係合せしめて保持する係合爪と、この係合爪による係合状態を解除する解除レバーと、照明器具に給電するための接続コードと、を有し、解除レバーが取付装置の本体から突出した突出高さが、接続コードの最大幅と同じもしくはそれより低い高さにされている。
【図面の簡単な説明】
【００１１】
【図１】図１は、実施形態に係る照明器具を示す断面外略図である。
【図２】図２は、図１の照明器具を天井に取り付けるための実施形態に係るアダプタを斜め下方から見た斜視図である。
【図３】図３は、図２のアダプタを天井側から見た斜視図である。
【図４】図４は、図２のアダプタの蓋体と接続コードを取り除いた状態を示す斜視図である。
【図５】図５は、図４に示した全ての構成要素を分解して示す分解斜視図である。
【図６】図６は、図２のアダプタの本体を示す斜視図である。
【図７】図７は、図２のアダプタを下方から見た底面図である。
【図８】図８は、図２のアダプタに組み込まれた解除レバーを示す斜視図である。
【図９】図９は、図８の解除レバーを示す側面図である。
【図１０】図１０は、図８の解除レバーを非操作状態にした図２のアダプタの断面図である。
【図１１】図１１は、図８の解除レバーを操作して係合爪による係合状態を解除した状態の図２のアダプタを示す断面図である。
【発明を実施するための形態】
【００１２】
以下、図面を参照しながら実施形態について詳細に説明する。  
図１は、照明器具２００の内部構造を示す概略断面図である。この照明器具２００の器具本体２０１は、外観が円形でかつ薄形に形成されている。
【００１３】
器具本体２０１の中央には、内部に収容空間を有する収容部が形成され、この収容部内には、点灯装置２０２が収容されている。収容部の周囲には、光源２０３としてのＬＥＤチップが環状に配置されている。光源２０３として、この他に、蛍光管などを用いても良い。
【００１４】
器具本体２０１は、天井面などに設置されている図示しない引っ掛けシーリングに接続されるアダプタ１（後に詳述する）を介して、天井面などに支持される。アダプタ１は、器具本体２０１を電気的かつ機械的に接続する。
【００１５】
つまり、器具本体２０１には、アダプタ１を受け入れる円形の開口孔２０４が形成されており、この開口孔２０４の縁にアダプタ１の後述する２つの係合爪８ａ、８ｂを引っ掛けることで、器具本体２０１がアダプタ１に機械的に取り付けられる。
【００１６】
またアダプタ１から導出された接続コード７のコネクタ７ａが、点灯装置２０２のコネクタ２０２ａに接続され、照明器具２００がアダプタ１に電気的に接続される。一方、アダプタ１は、後述する２本の接続金具３ａ、３ｂ（ここではまとめて接続金具３としている）を介して図示しない引っ掛けシーリングに機械的および電気的に接続される。
【００１７】
また、器具本体２０１には、器具本体の下方および側方を覆ってセード２０５が取り付けられる。さらに、器具本体２０１の天井面側の背面には、器具本体２０１を天井面に密着させるための弾性部材２０６が貼り付けられている。
【００１８】
図２は、照明器具２００を天井１００に直付けするための、実施形態に係るアダプタ１（取付装置）を斜め下方から見た斜視図である。図２のアダプタ１は、天井１００に固設された図示しない引掛けシーリングに装着されて固定されている。
【００１９】
図３は、図２のアダプタ１を天井１００から取り外して裏側から見た斜視図である。アダプタ１は、有底の略円筒形の本体２を有し、本体２の底部２ａを貫通した２本の鉤状の接続金具３ａ、３ｂを有する。これら２本の接続金具３ａ、３ｂの基端部は、図４および図５に示すように、ネジ３ｃにより底部２ａの内面にあるボス部３ｄにそれぞれ締結固定されて、本体２と一体化されている。
【００２０】
図４は、図２に示した４つのネジ６ａによって本体２に締結固定された蓋体６、およびコネクタ７ａを先端に備えた接続コード７を取り除いた状態のアダプタを示す斜視図である。また、図５は、図４に示された全ての構成要素を分解して示す分解斜視図である。さらに、図６は、アダプタ１の本体２だけを単体で示す斜視図である。
【００２１】
蓋体６は、図２に示すように、本体２の開口部を塞ぐように配置され、４本のネジ６ａを蓋体６のネジ孔に通して本体２のボス部６ｂにそれぞれ螺合することで、本体２に締結固定される。これにより、蓋体６は、アダプタ１の本体の一部として機能する。接続コード７は、接続金具３ａ、３ｂに電気的に接続され、蓋体６の切欠き部６ｃを介して本体２の外側へ引き出されている。
【００２２】
接続コード７は、２本の導線を並べて樹脂で覆った平べったい断面形状を有し、その最大幅は導線２本分の幅であり、最小幅は導線１本分の幅である。なお、２本の導線は、それぞれ、略円形の断面を有するため、接続コード７は引っ掛かりの無い滑らかな表面形状を有する。
【００２３】
アダプタ１は、２本の接続金具３ａ、３ｂを引掛けシーリングに差し込んで回転させることで、天井１００に固定される。本体２の周面に対して突没可能に設けられたロック解除ボタン４は、引掛けシーリングに対する本体２の回転を禁止するためのロック部材５を本体２内に没入させてロックを解除するために設けられている。
【００２４】
すなわち、ロック部材５は、バネ５ａにより本体２の底部２ａから外方へ突出する方向に付勢されており、ロック解除ボタン４は、指で押圧することで、このロック部材５をバネ５ａの付勢力に抗して本体２内に没入させるためのものである。ロック部材５が嵌入される引掛けシーリング側の図示しないロック穴は、本体２を固定位置に回転させたロック状態でロック部材５が対向する位置に設けられている。
【００２５】
しかして、引掛けシーリングに装着したアダプタ１を取り外す際には、ロック解除ボタン４を本体２内に押し込んでロック部材５を本体２内に没入させ、引掛けシーリングに設けられたロック穴からロック部材５を抜き出す。この状態で、本体２は、引掛けシーリングに対して回転可能となる。そして、ロックを解除した後、本体２を反対方向に回転させることで、アダプタ１を引掛けシーリングから取り外すことができる。
【００２６】
また、アダプタ１は、照明器具２００の器具本体２０１に形成された開口孔２０４の縁を引っ掛けて保持するための２つの係合爪８ａ、８ｂを有する。各係合爪８ａ、８ｂは、それぞれ、本体２の周部に形成された比較的幅の広い切欠き部８ｃを介して突没可能に設けられている。
【００２７】
すなわち、照明器具２００は、器具本体２０１に形成された開口孔２０４にアダプタ１の位置を合わせ、器具本体２０１を押し上げて開口孔２０４の縁部をアダプタ１の係合爪８ａ、８ｂに係合させることで、アダプタ１に取り付けられる。つまり、照明器具２００は、これら２つの係合爪８ａ、８ｂを介してアダプタ１に対して脱着自在に取り付けられる。
【００２８】
本体２内の底部２ａの略中央には、２つの係合爪８ａ、８ｂの基端部が当接される２枚の立壁８ｄが一体に突設されている。各立壁８ｄが互いに対向する面と反対の面には各係合爪８ａ、８ｂを外方に向けて付勢するためのバネ８ｅを取り付けるボス部８ｆが突設されている。一方、各係合爪８ａ、８ｂの基端部には、バネ８ｅを一部突出せしめて収容する有底の収容穴８ｇが形成されている。
【００２９】
ボス部８ｆおよび収容穴８ｇの間に取り付けられたバネ８ｅは、各係合爪８ａ、８ｂを本体２の切欠き部８ｃから外方へ突出させる方向に付勢する。つまり、各係合爪８ａ、８ｂは、バネ８ｅの付勢力によって、図１に状態に配置される。この際、各係合爪８ａ、８ｂの肩部８ｈが本体２の切欠き部８ｃの内側縁に係合して、係合爪８ａ、８ｂの抜け落ちが防止される。
【００３０】
各係合爪８ａ、８ｂは、図１の状態で本体２の外方へ突出した係合部分を有し、この係合部分には、照明器具の図示しない取付開口孔の縁を滑らせる傾斜面８ｉが設けられている。傾斜面８ｉは、照明器具をアダプタ１に装着する際、照明器具のシャーシーの取付開口孔の縁によって押圧される。この押圧力は、傾斜面８ｉによって、係合爪８ａ、８ｂを本体２内に没入させる付勢力に変換され、係合爪８ａ、８ｂがバネ８ｅの付勢力に抗して本体２内に没入される。
【００３１】
また、各係合爪８ａ、８ｂの基端部近くには、係合爪が最後まで本体２から突出した状態であることを示すインジケーター８ｊが設けられている。このインジケーター８ｊは、図１に示す蓋体６の矩形の開口部８ｋを介して外部に露出し、本体２の外側から視認可能となっている。つまり、各インジケーター８ｊが図１に示す位置にある場合、２つの係合爪８ａ、８ｂが最も外方へ突出した状態であることを判断でき、照明器具が脱落することがない正常な状態で取り付けられていることを確認できる。
【００３２】
さらに、各係合爪８ａ、８ｂには、その略中央部に、該係合爪による係合状態を解除するための２つの解除レバー９ａ、９ｂをそれぞれ受け入れる比較的大きな略矩形の開口部９ｃが設けられている。２つの解除レバー９ａ、９ｂは、図４および図５に示すように、各係合爪８ａ、８ｂの開口部９ｃを介して装着され、本体２の底部２ａから突設された軸受部材９ｄによって支持される。
【００３３】
本体２から突設された各軸受部材９ｄは、対応する解除レバー９ａ、９ｂの回転軸９ｅを受け入れる円弧状の軸受け溝９ｆを有する。つまり、各軸受部材９ｄは、それぞれの解除レバー９ａ、９ｂを回転可能に保持する。なお、上述した係合爪８ａ、８ｂの比較的大きな開口部９ｃは、図４に示すように、軸受部材９ｄとともに解除レバー９ａ、９ｂを受け入れる大きさを有する。
【００３４】
また、係合爪８ａ、８ｂに形成された開口部９ｃは、蓋体６によって塞がれる。つまり、蓋体６は、各軸受部材９ｄの軸受け溝９ｆの開放端を閉じ、解除レバー９ａ、９ｂの回転軸９ｅが軸受け溝９ｆから抜けることを防止する。
【００３５】
図７は、アダプタ１を下方から見た底面図である。２つの解除レバー９ａ、９ｂの操作部９ｇは、蓋体６の開口部９ｈを介して外側に突出している。蓋体６はアダプタ本体の表面の一部を構成している。なお、図８は、解除レバー９ａ、９ｂの外観斜視図である。また、図９は、解除レバー９ａ、９ｂの側面図である。さらに、図１０は、解除レバー９ａ、９ｂを操作していない状態のアダプタ１の断面図であり、図１１は、解除レバー９ａ、９ｂを操作した状態のアダプタ１の断面図である。
【００３６】
２つの解除レバー９ａ、９ｂは同じ構造を有する。すなわち、一方の解除レバーは他方の解除レバーに対して姿勢を１８０度反転した状態で取り付けられている。以下、解除レバー９ａ、９ｂの構造および機能について詳細に説明するが、ここでは、概ね、一方の解除レバー９ａについて代表して説明する。
【００３７】
解除レバー９ａ（９ｂ）は、幅方向両端に回転軸９ｅを有するアーム部９ｉを有する。回転軸９ｅは、上述したように、本体２から突設された軸受け部材９ｄの軸受け溝９ｆに装着される。アーム部９ｉの回動の先端には、操作部９ｇが一体に設けられている。また、アーム部９ｉの回動の基端部には、アーム部９ｉの回転により、係合爪８ａの開口部９ｃの内面９ｃ−１を押圧する押圧部９ｊが一体に設けられている。
【００３８】
アーム部９ｉは、蓋体６の開口部９ｈの幅より僅かに小さい幅を有する。すなわち、解除レバー９ａのアーム部９ｉを蓋体６の開口部９ｈに挿通する場合、回転軸９ｅを横にしてまず初めに開口部９ｈに挿通し、その後アーム部９ｉを略９０度回転させる。そして、回転軸９ｅを軸受け溝９ｆに挿入する。
【００３９】
操作部９ｇは、アーム部９ｉの幅より大きな幅にされている。つまり、解除レバー９ａを開口部９ｈに配置した状態で、操作部９ｇは、開口部９ｈの縁に引っ掛かる。このように、操作部９ｇの幅をアーム部９ｉの幅より大きくすることで、操作部９ｇに指を引っ掛け易くなり、解除レバー９ａの操作性が向上する。
【００４０】
また、操作部９ｇは、回転軸９ｅから離間した先端に向けて収束する方向に傾斜した傾斜面９ｋを有する。この傾斜面９ｋには、指をより引っ掛け易くするためのくびれ９ｌが設けられている。
【００４１】
また、傾斜面９ｋを含む操作部９ｇの表面はなだらかな湾曲面に形成されており、傾斜面９ｋに連続して全ての角部が面取りされている。なお、この操作部９ｇの傾斜面９ｋは、解除レバー９ａを解除方向（係合爪８ａを本体２内に没入させる方向）に操作する際、指の腹が接触する位置にある。このため、くびれ９ｌは、傾斜面９ｋで指が滑らないように機能する。
【００４２】
また、アーム部９ｉも、回転軸９ｅを備えた中央部分から操作部９ｇに向けて収束する方向に傾斜した傾斜面９ｍを有する。このアーム部９ｉの傾斜面９ｍは、通常の操作では指が接触する位置にはない。つまり、解除レバー９ａは、操作部９ｇの内側および外側で、その先端に向けて収束する方向に傾斜した２つの傾斜面９ｋ、９ｍを有する。
【００４３】
なお、図２に示すように、解除レバー９ａ、９ｂを操作していない状態、すなわち係合爪８ａ、８ｂを本体２から突出せしめて照明器具をアダプタ１に取り付けた状態（図１０に断面図を示す状態）で、解除レバー９ａ、９ｂの操作部９ｇが蓋体６（本体）の表面から突出した突出高さＨ（図１０）は、接続コード７の最大幅（図２；Ｗmax）と同じもしくはそれより低くされている。また、操作部９ｇとアーム部９ｉとの間にある肩部９ｎの段差Ｄ（図７）は、接続コード７の最小幅（図３；Ｗmin）と同じもしくはそれより小さくされている。
【００４４】
以上のように、解除レバー９ａ、９ｂの形状および蓋体６の表面からの突出高さＨを設計することで、解除レバー９ａ、９ｂの操作性を維持した上で、接続コード７の引っ掛かりを無くすことができる。
【００４５】
図１０に示すように、解除レバー９ａ、９ｂを操作していない状態、すなわち照明器具がアダプタ１に取り付けられた状態から、図１１に示す状態まで解除レバー９ａ、９ｂを回転させると、各解除レバー９ａ、９ｂそれぞれの押圧部９ｊが係合爪８ａ、８ｂの開口部９ｃの内面９ｃ−１を押圧して、２つの係合爪８ａ、８ｂが本体２内に没入される。この状態で、照明器具のアダプタ１からの取り外しが可能となる。
【００４６】
このとき、各解除レバー９ａ、９ｂの操作部９ｇの傾斜面９ｋにあるくびれ９ｌに指が引っ掛かり、解除レバー９ａ、９ｂの操作部９ｇと指との間の滑りが防止される。つまり、このくびれ９ｌを設けることで、蓋体表面からの突出高さを低くして傾斜面９ｋを設けた操作部９ｇの操作性を維持することができ、解除レバー９ａ、９ｂの操作性が悪化することを防止できる。
【００４７】
ところで、本明細書の「発明が解決しようとする課題」で説明したように、このタイプのアダプタ１を用いて照明器具を天井１００に取り付けた場合、例えば、セード２０５の着脱の際、弾性部材２０６の劣化などにより、照明器具２００が回転してしまう場合がある。このように、固定状態のアダプタ１に対し、照明器具２００が回転してしまうと、アダプタ１と点灯装置２０２を接続している接続コード７が、アダプタ１と接続部を中心に回動し、捻じれてしまうことになる。
【００４８】
また、このとき、接続コード７がアダプタ１から導出された蓋体６の表面側で、接続コード７も回転する。この場合、蓋体６から突出した解除レバーの蓋体表面からの突出高さが高かったり、解除レバーの形状が接続コードが引っ掛かり易い形状であったりすると、接続コードが解除レバーに引っ掛かる可能性がある。接続コードが解除レバーに引っ掛かると、最悪の場合、接続コード７によって解除レバー９ａ、９ｂが操作され、係合爪による照明器具の係合状態が解除されてしまうことが考えられる。
【００４９】
従って、本実施形態では、このような不具合を防止するため、まず、解除レバー９ａ、９ｂの蓋体表面からの突出高さＨを接続コード７の最大幅Ｗmaxと同じもしくはそれより低くした。これにより、照明器具が回転した場合であっても、接続コード７が解除レバー９ａ、９ｂに引っ掛かることが殆ど無くなった。
【００５０】
また、仮に、接続コード７が解除レバー９ａ、９ｂに引っ掛かろうとした場合であっても、解除レバー９、９ｂの操作部９ｇに設けられた傾斜面、またはアーム部９ｉに設けられた傾斜面９ｍが、接続コード７を滑らせて、接続コード７の引っ掛かりを防止する。さらに、解除レバー９ａ、９ｂの操作部９ｇが面取りされてなだらかな表面形状にされているとともに、接続コード７自体も角部を持たないなだらかな表面形状を有するため、接続コード７の引っ掛かりをより確実に防止することができる。
【００５１】
また、接続コード７が引っ掛かる現象として、解除レバー９ａ、９ｂの操作部９ｇとアーム部９ｉとの間の段差部９ｎに引っ掛かる現象が考えられるが、本実施形態では、この段差部９ｎの大きさを接続コード７の最小幅Ｗminと同じもしくはそれより小さく設計したため、段差部９ｎに接続コード７が引っ掛かることはない。
【００５２】
以上述べた実施形態の解除レバー９ａ、９ｂによれば、本体からの突出高さＨを接続コード７の最大幅Ｗmaxと同じもしくはそれより低く設計したため、アダプタ１に取り付けた照明器具が回転した場合であっても、接続コード７が解除レバー９ａ、９ｂに引っ掛かって操作されてしまう不具合を防止でき、照明器具の脱落を防止できる。
【００５３】
上述した実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００５４】
１…アダプタ、２…本体、２ａ…底部、３ａ、３ｂ…接続金具、４…ロック解除ボタン、５…ロック部材、６…蓋体、７…接続コード、７ａ…コネクタ、８ａ、８ｂ…係合爪、９ａ、９ｂ…解除レバー、９ｋ、９ｍ…傾斜面、９ｌ…くびれ、１００…天井、２００…照明器具、２０１…器具本体、２０２…点灯装置、２０３…光源、２０５…セード、２０６…弾性部材。
【図１】
2013037842.tif 000003
【図２】
2013037842.tif 000004
【図３】
2013037842.tif 000005
【図４】
2013037842.tif 000006
【図５】
2013037842.tif 000007
【図６】
2013037842.tif 000008
【図７】
2013037842.tif 000009
【図８】
2013037842.tif 000010
【図９】
2013037842.tif 000011
【図１０】
2013037842.tif 000012
【図１１】
2013037842.tif 000013